【手続補正書】
【提出日】平成17年1月26日(2005.1.26)
【手続補正１】
【補正対象書類名】明細書
【補正対象項目名】発明の名称
【補正方法】変更
【補正の内容】
【発明の名称】バイオロジカル・アイソレーター内のアンプル、バイアル瓶等の薬瓶類の移送方法、及び同薬瓶類の移送装置
【手続補正２】
【補正対象書類名】明細書
【補正対象項目名】特許請求の範囲
【補正方法】変更
【補正の内容】
【特許請求の範囲】
【請求項１】
第１ステージ上に載置された方形又は矩形状の無蓋、無底の枠体からなるトレー内に多数のアンプル、バイアル瓶等の集合体を互いに密接起立状態で収容すること、
プレート移動手段により、第１ステージから離間する待機位置に水平姿勢で待機するプレートを、前記第１ステージの側面に向けて水平状態で移動させて、前記プレートの上面を第１ステージの上面に一致させるように互いの側面を接近させること、
トレー把持移載手段により、同トレーを把持して第１ステージから前記プレートへと水平滑動させて、同トレーに収容された前記集合体と共に移送用トレーを前記第１ステージから前記プレートの上面へと移載すること、及び
移送用トレーが移載された前記プレートを基準位置へと移動させること、
を含んでなることを特徴とするバイオロジカル・アイソレーター内の薬瓶類移送方法。
【請求項２】
前記トレー内の前記集合体を弾性手段により密接集合させることを含んでなる請求項１記載の薬瓶類移送方法。
【請求項３】
前記基準位置において、トレー脱着手段により、前記弾性手段の弾性力を解除するとともに、前記トレーを前記集合体と干渉しない退避位置へと退避させること、
集合体移載手段により、前記基準位置に残された集合体を同基準位置から第２ステージへと一括して滑動させて移載すること、及び
集合体を第２ステージに一括して移載したのち、前記トレーを前記退避位置から前記プレート上に復位させること、
を含んでなる請求項２記載の薬瓶類移送方法。
【請求項４】
多数のアンプル、バイアル瓶等の薬瓶からなる集合体を一括して第１ステージから第２ステージへと移送する装置であって、
前記集合体が起立して収容された方形又は矩形状の枠体からなる無蓋、無底の移送用トレーと、
前記集合体が収容された前記移送用トレーを載置する第１ステージと、
前記第１ステージと第２ステージとの間に配された基準位置と、
前記プレートの上面を前記第１ステージ及び前記基準位置の各上面と一致するように、前記プレートの前後側面を、前記第１ステージ及び第２ステージの相対する側面に当接するよう往復動させるプレート移動手段と、
前記第１ステージ上にある前記移送用トレーを把持して前記第１ステージ及び前記プレート上を滑動させ、同移送用トレー内に収容された上記集合体を移送用トレーと共に第１ステージから前記プレート上に移載するトレー移載手段と、
を備えてなることを特徴とする薬瓶類の移送装置。
【請求項５】
前記集合体を収容した状態で、前記プレート移動手段によりプレートと共に前記基準位置まで移送された前記移送用トレーを同基準位置から集合体と干渉しない退避位置へと移動させるとともに、同移送用トレーを同退避位置から前記基準位置へと復位させるトレー脱着手段と、
前記移送用トレーが退避位置にある間に、前記プレート上に残された前記集合体を一括して滑動させ、第２ステージへと移載する集合体移載手段と、
を有してなる請求項４記載の薬瓶類の移送装置。
【請求項６】
前記基準位置に配され、前記集合体の第２ステージへの移載時に、少なくとも前記集合体の載置位置まで上昇する昇降可能な昇降部材を有してなる請求項５記載の薬瓶類の移送装置。
【請求項７】
前記第１ステージが薬瓶類自動搬送車に設けられたステージであり、前記第２ステージが集合体を次工程に搬出する搬出コンベアである請求項４又は５記載の薬瓶類の移送装置。
【請求項８】
前記各作動手段の駆動機構が回転駆動源と回転駆動軸とを有してなり、同回転駆動源の出力軸と回転駆動軸とが、薬瓶処理室の壁部から内外に離間して配され、磁力を介して動力伝達がなされてなる請求項４〜７のいずれかに記載の薬瓶類の移送装置。
【請求項９】
請求項４〜８のいずれかに記載の前記移送装置がバイオロジカル・アイソレーター内の移送装置であって、バイオロジカル・アイソレーターチャンバー内の気流の方向が上方から下方に向けられ、且つ薬瓶類を機械的に移送する移送機構が、移送される薬瓶類の上面位置の下方に配されてなることを特徴とする薬瓶類の移送装置。
【手続補正３】
【補正対象書類名】明細書
【補正対象項目名】０００１
【補正方法】変更
【補正の内容】
【０００１】
【発明の属する技術分野】
本発明は、薬液が充填され或いは未充填の封がなされていない多数のアンプル、バイアル瓶等の薬瓶類を一括して滅菌、凍結乾燥等の装置に自動的に搬入、搬出するための移送方法と、その移送装置に関する。
【手続補正４】
【補正対象書類名】明細書
【補正対象項目名】００１８
【補正方法】変更
【補正の内容】
【００１８】
【課題を解決するための手段及び作用効果】
かかる目的は、請求項１〜３に記載された薬瓶類の移送方法に係る発明と、請求項４〜９に記載された移送装置に係る発明とにより、効果的に達成される。
【手続補正５】
【補正対象書類名】明細書
【補正対象項目名】００２４
【補正方法】変更
【補正の内容】
【００２４】
請求項３に係る発明は、集合体がトレーとともに前記基準位置へと移動すると、同基準位置に配されたトレー脱着手段により、薬瓶類に対する前記付勢手段の押付力を解除するとともに、前記トレーを前記集合体と干渉しない退避位置へと退避させる。ここで、プレートと第２ステージとの間の基準位置には、例えば請求項６のごとく、前記集合体の第２ステージへの移載時に、少なくとも前記集合体の載置位置まで上昇する昇降可能な昇降部材を有している場合には、同昇降部材上に多数の薬瓶だけが集合体として残される。なお、本発明にあっては、前記昇降部材の上昇位置を、同上昇部材上に前記プレートを載置し、そのときのプレート上面位置が第２ステージの上面位置と一致するように設定する場合には、プレート上にトレーと集合体を載置した状態で、同プレートをその待機位置から基準位置まで移動させるようにすることもできる。
【手続補正６】
【補正対象書類名】明細書
【補正対象項目名】００２７
【補正方法】変更
【補正の内容】
【００２７】
前述の移送方法を実施するに好適な移送用トレーは、多数のアンプル、バイアル瓶等の薬瓶類からなる集合体の一括移送用トレーであって、内側の長さ方向に摺動路を有する枠材から構成される無蓋、無底の方形又は矩形状の枠体と、両端部が、相対する一対の前記枠材の各摺動路に摺動可能に係着されたロッド状の集合体押圧部材と、前記集合体押圧部材を前記摺動路の一摺動方向に付勢する付勢手段とを備えていることが好ましい。
【手続補正７】
【補正対象書類名】明細書
【補正対象項目名】００２９
【補正方法】変更
【補正の内容】
【００２９】
更に、前記移送用トレーの前記相対する一対の枠材は、トレー把持移載手段により把持される把持部を有していることが好ましく、トレー把持移載手段により同把持部を把持して移送用トレーを前後に移動させ、把持の必要がないときには、同トレー把持移載手段による把持を解除すればよい。
【手続補正８】
【補正対象書類名】明細書
【補正対象項目名】００３０
【補正方法】変更
【補正の内容】
【００３０】
請求項４〜請求項９に係る発明は、多数のアンプル、バイアル瓶等の薬瓶からなる集合体を一括して第１ステージから第２ステージへと移送する装置であって、前記集合体が起立して収容された方形又は矩形状の枠体からなる無蓋、無底の移送用トレーと、前記集合体が収容された前記移送用トレーを載置する第１ステージと、前記第１ステージと第２ステージとの間に水平に配されたプレートと、前記プレートの上面を前記第１ステージ及び第２ステージの各上面と一致するように、第１ステージと第２ステージとの間に配された基準位置を介して、前記プレートの前後側面を、前記第１ステージ及び第２ステージの相対する側面に当接するよう往復動させるプレート移動手段と、前記第１ステージ上にある前記移送用トレーを把持して前記第１ステージ及び前記プレート上を滑動させ、同移送用トレー内に収容された上記集合体を移送用トレーと共に第１ステージから前記プレート上に移載するトレー移載手段とを備えていることを特徴とする薬瓶類の移送装置を主要な構成としている。
【手続補正９】
【補正対象書類名】明細書
【補正対象項目名】００３２
【補正方法】変更
【補正の内容】
【００３２】
請求項５に係る発明は、請求項４に係る発明の構成に加えて、前記集合体を収容した状態で、前記プレート移動手段によりプレートと共に前記基準位置まで移送された前記移送用トレーを同基準位置から集合体と干渉しない退避位置へと移動させるとともに、同移送用トレーを同退避位置から前記基準位置へと復位させるトレー脱着手段と、前記移送用トレーが退避位置にある間に、前記基準位置に残された前記集合体を一括して滑動させ、第２ステージへと移載する集合体移載手段とを有している。
【手続補正１０】
【補正対象書類名】明細書
【補正対象項目名】００３４
【補正方法】変更
【補正の内容】
【００３４】
請求項７に係る発明は、上記請求項４及び５に係る発明にあって、前記第１ステージが薬瓶類自動搬送車に設けられたステージであり、前記第２ステージが集合体を次工程に搬出する搬出コンベアであることを規定している。
請求項８に係る発明は、上記各作動手段の駆動機構を規定するものであり、前記各駆動機構が回転駆動源と回転駆動軸とを有しており、同回転駆動源の出力軸と回転駆動軸とが、薬瓶処理室の壁部から内外に離間して配され、磁力を介して動力伝達がなされるようにしている。かかる構成を採用することにより、回転駆動軸を処理室の壁を貫通させる必要がなくなり、その結果、シャフトシールを排除することができ、シール面の損傷による粉塵の発生や滅菌ガスなどの漏洩がなくなり、処理室内を清潔に保つことができると同時に外気を汚染させることもない。
【手続補正１１】
【補正対象書類名】明細書
【補正対象項目名】００３５
【補正方法】変更
【補正の内容】
【００３５】
請求項９に係る発明は、前記請求項４〜８のいずれかに記載の移送装置がバイオロジカル・アイソレーター内の移送装置であって、バイオロジカル・アイソレーターチャンバー内の気流の方向が上方から下方に向けられ、且つ薬瓶類を機械的に移送する移送機構が、移送される薬瓶類の上端開口面位置の下方に配されていることを特徴としている。かかる構成により、気流の流れと相まって機械的作動により発生する塵芥も含めて各種菌類が薬瓶類に付着することなく、薬瓶類の下方へと導かれて、その除菌性能を著しく向上させる。